(57)【特許請求の範囲】
【請求項１】
浴槽又は前記浴槽に隣接して配設された洗い場床の周縁に形成され、浴室の内壁の一面を１つ又は複数で構成する壁部材が載置される壁載置部と、
前記壁載置部の上面から上方に突出するように前記壁載置部に一体に形成され、一の前記壁部材の裏面が前記一の壁部材の幅方向の両端部の間において部分的に当接可能な突出部と、を備えることを特徴とする浴室ユニット。
【請求項２】
前記壁載置部の外縁から立ち上がるように前記壁載置部に一体に形成された立壁部を備え、
前記突出部は、前記立壁部の内側面から内側方向に突出するように、前記立壁部に一体に形成されていることを特徴とする請求項１記載の浴室ユニット。
【請求項３】
前記突出部は、前記立壁部の高さよりも低い高さで設けられていることを特徴とする請求項２記載の浴室ユニット。
【発明の詳細な説明】
【技術分野】
【０００１】
本発明は浴室ユニットに関するものである。
【背景技術】
【０００２】
従来、組み立て式の浴室に用いられるユニットにおいて、浴室の内壁を構成する壁部材を、浴槽や洗い場床の周縁に配置することが知られている。浴室ユニットの浴槽及び洗い場床には、その周縁に水返し等を目的とした立壁が形成されているものが知られており、この場合、特許文献１のように、壁部材が取り付けられる柱部材を、立壁（水切立片）に取り付けることが行われている。特許文献１の場合、壁部材は、その下端が壁載置面に載置されるとともに、その両側端を柱部材に係止されて取り付けられる。
【先行技術文献】
【特許文献】
【０００３】
【特許文献１】特開２００２−２７６０５２号公報
【発明の概要】
【発明が解決しようとする課題】
【０００４】
しかし、特許文献１で開示される浴室ユニットの場合、壁部材の背面と立壁との間の間隔が開いているため、壁部材を浴室の内側から押すと、壁部材が撓んで変形してしまうおそれがあった。このため、図５に示すように、壁部材１０１の裏面と立壁１０２との間に変形防止部材１０３を取り付けることが知られている。このような変形防止部材は、例えば、立壁を挟み込むクリップ状に形成されるなどして、浴室ユニットの組み立ての際に所望の位置に取り付けられる。この場合、変形防止部材を別途取り付ける作業が必要であり、煩雑であった。また、取り付け後に脱落してしまったり、取り付け忘れたりしてしまうことも危惧される。
【０００５】
本発明は、上記従来の実情に鑑みてなされたものであって、簡易且つ確実に組み立て可能な浴室ユニットを提供することを解決すべき課題としている。
【課題を解決するための手段】
【０００６】
本発明の浴室ユニットは、浴槽又は前記浴槽に隣接して配設された洗い場床の周縁に形成され、浴室の内壁を構成する壁部材が載置される壁載置部と、
前記壁載置部の上面から上方に突出するように、前記壁載置部に一体に形成され、前記壁部材の裏面が当接可能な突出部と、を備えることを特徴とする。
【０００７】
この浴室ユニットは、壁載置部、及び突出部を備えている。突出部は、壁部材の裏面が当接可能である。この突出部は、壁載置部の上面から上方に突出するように、壁載置部に一体に形成されている。このため、壁部材の変形防止部材を別途用いる必要がなく、そのための取り付け作業も不要である。また、一体に形成されていることにより、取り付け後に脱落したり、取り付け忘れてしまったりすることがない。よって、従来例のような変形防止部材を用いる場合と比較して、壁部材の変形を簡易且つ確実に抑制できる。
【０００８】
したがって、本発明の浴室ユニットは、簡易且つ確実に組み立てることができる。
【図面の簡単な説明】
【０００９】
【図１】実施例１に係る浴室ユニットを示す斜視図である。
【図２】実施例１に係る浴室ユニットの要部を示す横断面図である。
【図３】図２のＩＩＩ−ＩＩＩ線拡大断面図である。
【図４】実施例２に係る浴室ユニットの要部を示す縦断面図である。
【図５】従来例を示す図である。
【発明を実施するための形態】
【００１０】
本発明における好ましい実施の形態を説明する。
【００１１】
本発明の浴室ユニットは、前記壁載置部の外縁から立ち上がるように前記壁載置部に一体に形成された立壁部を備え得る。そして、前記突出部は、前記立壁部の内側面から内側方向に突出するように、前記立壁部に一体に形成され得る。この場合、立壁部の広がりや倒れが抑制されるなど、突出部周辺の構造強度を向上でき、形状の安定化が図られる。これにより、立壁部に取り付けられる柱部材の取り付け強度も向上できる。
【００１２】
本発明の浴室ユニットにおいて、前記突出部は、前記立壁部の高さよりも低い高さで設けられ得る。この場合、仮に、壁部材と立壁部との間に水が侵入したとき、水は立壁部を乗り越えてしまう前に突出部を乗り越え、立壁部の内側に留まる。このため、浴室外への溢水を抑制することができる。
【００１３】
次に、本発明の浴室ユニットを具体化した実施例１及び２について、図面を参照しつつ説明する。なお、以下の説明では、便宜上、鉛直方向を上下方向とする。そして、浴槽１０と洗い場床２０の並ぶ方向を前後方向とし、洗い場床２０側を前側、浴槽１０側を後側とする。
【００１４】
＜実施例１＞
実施例１の浴室ユニット１は、図１に示すように、浴槽１０、洗い場床２０、壁部材３０、柱部材４０等の部材を組み立てることにより浴室を形成するユニットである。浴槽１０は、浴槽部１１、フランジ部１２、及び前垂れ部１３を有している。浴槽部１１は上面が開放された箱状に形成されている。フランジ部１２は、浴槽部１１の上端から周縁に広がるように形成されている。前垂れ部１３は、フランジ部１２の洗い場床２０側の外縁から下方に延びて形成されている。これら浴槽部１１、フランジ部１２、及び前垂れ部１３は一体成形されている。
【００１５】
洗い場床２０は浴槽１０に隣接して配設される。洗い場床２０は、床面部２１と、この床面部２１の浴槽１０寄りの位置に設けられた排水部２２と、を有している。床面部２１には、床面部２１の上面に落下した湯水が排水部２２に向かって流れるように勾配が付けられている。床面部２１の浴槽１０側の端部には、浴槽１０の前面を覆うように立ち上がるエプロン部２３が設けられている。エプロン部２３は床面部２１に一体に形成されている。エプロン部２３の上端は、浴槽１０の前垂れ部１３の内側に入り込んで浴槽１０に連結されるように形成されている。また、エプロン部２３には開口部２３Ａが形成されている。開口部２３Ａは、浴槽部１１下部や床面、上下水配管等の点検に用いられる。また、開口部２３Ａは、浴槽１０の前垂れ部１３とエプロン部２３との連結の際の作業窓としても用いられる。開口部２３Ａは通常は蓋２３Ｂで閉塞されている。
【００１６】
壁部材３０は浴室の内壁を構成する。壁部材３０は、浴槽１０及び洗い場床２０の周縁部に立設される。壁部材３０は、浴槽１０及び洗い場床２０を囲うように複数配置される。本実施例１において、壁部材３０は、鋼板製の表面パネルの裏面に石膏ボードを貼り合わせて形成されている。壁部材３０は柱部材４０に取り付けられる。柱部材４０は、浴室の躯体を構成し、壁部材３０を外側から支持するように、壁部材３０よりも浴室の外側に立設される。図２に示すように、柱部材４０は、鋼板に折り曲げ加工を施すなどして、長手方向に沿って形成されたスリット状の開口４１を有する断面略Ｃ字状に形成されている。柱部材４０は、開口４１が形成された面が浴室の内側方向を向くように立設される。壁部材３０の両側端縁には断面鉤状に折り曲げられた鉤状部３１が形成されている。壁部材３０は、これら鉤状部３１が柱部材４０の開口４１にそれぞれ差し込まれて係止され、柱部材４０に取り付けられる。
【００１７】
実施例１の浴室ユニット１は、図１〜図３に示すように、壁載置部５０、立壁部６０、及び突出部７０を備えている。壁載置部５０は、浴槽１０の周縁に形成され、壁部材３０が載置される。具体的には、壁載置部５０は、浴槽１０のフランジ部１２の周縁から更に外側に広がるように形成されており、壁部材３０の下面がその上面に当接するようにして壁部材３０が載置される。壁載置部５０は、浴槽部１１の上方を三方から囲うように、フランジ部１２の四方の周縁のうちの後側及び左右両側の周縁に設けられている。壁載置部５０はフランジ部１２に一体成形されている。立壁部６０は、壁載置部５０の外縁から立ち上がるように形成されている。立壁部６０は、壁載置部５０に一体に形成されているとともに、壁載置部５０の外縁の略全周に渡って、浴槽部１１を三方から囲うように形成されている。立壁部６０はいわゆる水返しである。
【００１８】
図３に示すように、壁載置部５０に壁部材３０が載置されたときには、壁載置部５０の上面と壁部材３０の下面との間にはパッキンＰが配される。すなわち、壁部材３０は、パッキンＰを介して、その下面が壁載置部５０の上面に当接するようにして壁載置部５０に載置される。さらに、壁部材３０設置後には、壁部材３０と壁載置部５０との間の目地にコーキング剤Ｃが注入されて目地止め処理が施される。パッキンＰにはゴム等の弾性を有する材料からなるシート材が用いられる。また、コーキング剤Ｃには、硬化後に弾性を有するシリコーン系樹脂などの材料が用いられる。
【００１９】
また、図１に示すように、洗い場床２０側にも浴槽１０側と同様の壁載置部５０及び立壁部６０が設けられている。洗い場床２０側の壁載置部５０は、床面部２１の周縁から外側方向に広がるように形成されている。洗い場床２０側の壁載置部５０及び立壁部６０は、床面部２１の上方を三方から囲うように、床面部２１の四方の周縁のうちの前側及び左右両側の周縁に設けられている。
【００２０】
突出部７０は壁部材３０の裏面が当接可能に設けられている。突出部７０は、壁載置部５０の上面から上方に突出するとともに立壁部６０の内側面（浴室側の面）から内側方向に突出するように形成されている。本実施例１において、突出部７０は、図３に示すように、立壁部６０の高さと同等の高さで設けられている。突出部７０は壁載置部５０及び立壁部６０に一体に形成されている。具体的には、突出部７０は、浴槽１０の成形時に、浴槽部１１、フランジ部１２、前垂れ部１３、壁載置部５０、及び立壁部６０と一体成形される。突出部７０は、図１及び図２に示すように、壁載置部５０に載置される壁部材３０の幅方向の中間に対応する位置に設けられている。換言すると、突出部７０は、隣り合って配される２つの柱部材４０の配設位置に対応する位置の中間に設けられている。また、本実施例１において、突出部７０は、１つの壁部材３０につき１つ設けられており、載置される壁部材３０の幅方向の中央に対応する位置近傍に設けられている。
【００２１】
なお、上記「当接可能」とは、壁部材３０が壁載置部５０に載置された状態において当接していてもよいし、壁載置部５０に載置された状態においてわずかに隙間が生じており、壁部材３０が押されるなどして壁部材３０に撓みが生じたときに当接するものであってもよい。本実施例１の場合、壁部材３０が壁載置部５０に載置された状態の突出部７０と壁部材３０との間には隙間が設けられている。この隙間は、撓みにより壁部材３０の下端部が浴室の外側へ変位したとしても、コーキング剤Ｃが切れてしまうことなく弾性により吸収可能な程度の隙間である。
【００２２】
次に、上記のように構成された本実施例１の浴室ユニット１の作用効果を説明する。浴室ユニット１は、壁載置部５０、立壁部６０、及び突出部７０を備えている。突出部７０は、壁部材３０の裏面が当接可能である。そして、突出部７０は、壁載置部５０の上面から上方に突出するとともに、立壁部６０の内側面から内側方向に突出するように、壁載置部５０及び立壁部６０に一体に形成されている。このため、従来例（図５参照）のように、壁部材の変形防止部材を別途用いる必要がなく、そのための取り付け作業も不要である。また、一体に形成されていることにより、取り付け後に脱落したり、取り付け忘れてしまったりすることがない。よって、壁部材の変形を簡易且つ確実に抑制できる。
【００２３】
したがって、本実施例１の浴室ユニット１は、簡易且つ確実に組み立てることができる。
【００２４】
また、浴室ユニット１は、突出部７０を備えたことにより、従来例の変形防止部材のように他部材が不要であるので、そのための設置スペースや取り付け作業のためのスペースも不要である。このため、スペースを有効利用できる。また、例えば、図５に示す従来の変形防止部材１０３の場合には、立壁１０２に引っ掛ける形態で取り付け可能にクリップ状に形成されており、立壁１０２の外側にはみ出してしまっている。一方、本実施例１の場合には、突出部７０は、立壁部６０の内側にのみ形成されており、立壁部６０の外側にははみ出さない。このため、立壁部６０の外側面を浴室ユニット１の外形寸法とすることができ、より広い浴室スペースを確保できる。
【００２５】
また、突出部７０は、壁載置部５０及び立壁部６０に一体に形成されている。このような突出部７０を設けたことにより、立壁部６０の広がりや倒れが抑制されるなど、突出部７０周辺の構造強度を向上でき、形状の安定化が図られる。これにより、立壁部６０に取り付けられる柱部材の取り付け強度も向上できる。また、突出部７０を設けたことにより、浴槽１０自体の強度も向上する。このため、浴槽１０の成形時等の変形を抑制できるとともに、組み立て後の浴室ユニット全体の強度も向上できる。
【００２６】
また、仮に、壁部材と立壁部との間に水が侵入したとき、従来例のように別体に設けた壁部材の変形防止部材の場合には、変形防止部材と、立壁部や壁載置部との間の隙間に水が浸入して残ってしまうことがある。しかし、本実施例１の場合、突出部７０は壁載置部５０及び立壁部６０と一体成形されているので、そもそも隙間がなく、その隙間に水が浸入することもない。
【００２７】
また、載置される壁部材３０の裏面と突出部７０との間には隙間が設けられる。これにより、突出部７０と壁部材７０の裏面との摩擦や、それに伴う擦れ音等の異音の発生等を抑制できる。また、仮に壁部材３０と立壁部６０との間の空間に水が侵入した場合に、この隙間を通じて、突出部７０を挟んだ隣の空間に水を漏出させることができる。このため、水が立壁部６０を乗り越えて溢れてしまうなど、浴室ユニット１の外側への溢水が抑制される。
【００２８】
また、突出部７０は、載置される壁部材３０の幅方向の中央に対応する位置近傍に設けられている。すなわち、突出部７０は、壁部材３０の中央近傍に当接可能である。このため、壁部材３０の撓みや変形を好適に抑えることができる。
【００２９】
＜実施例２＞
実施例２の浴室ユニット１は、図４に示す突出部１７０を備えている。突出部１７０は、実施例１の突出部７０と同様に、壁載置部５０の上面から上方に突出するとともに立壁部６０の内側面から内側方向に突出するように、壁載置部５０及び立壁部６０に一体に形成され、壁載置部５０の裏面が当接可能に設けられている。しかし、突出部１７０は、立壁部６０の高さよりも低い高さで設けられている点において、実施例１と相違する。他の構成は実施例１と同様であり、同一の構成は同一の符号を付して詳細な説明を省略する。
【００３０】
この場合も、突出部１７０により、壁部材３０の変形を簡易且つ確実に抑制できる。また、突出部１７０の高さが立壁部６０の高さよりも低いことにより、仮に、壁部材３０と立壁部６０との間に水が侵入したとき、水は、立壁部６０を乗り越えてしまう前に突出部１７０を乗り越え、立壁部６０の内側に留まる。このため、浴室外への溢水を抑制することができる。
【００３１】
本発明は上記記述及び図面によって説明した実施例に限定されるものではなく、例えば次のような実施例も本発明の技術的範囲に含まれる。
（１）実施例１及び２では、突出部７０，１７０を、１つの壁部材３０につき１つ設けるようにしたが、これに限定されず、例えば、突出部を１つの壁部材につき２以上設けるようにしてもよい。
（２）実施例１及び２では、突出部７０，１７０を、壁部材３０の幅方向の中央に対応する位置近傍に設けるようにしたが、中央に対応する位置以外の位置、すなわち、壁部材の幅方向の中央からずれた位置に対応する位置に設けられていてもよい。
（３）実施例１及び２では、突出部７０，１７０の高さを立壁部６０の高さ以下としたが、立壁部６０の高さを超える高さで設けられていてもよい。この場合、壁部材が当接するときの当接面積をより大きくでき、壁部材の変形をより確実に抑制できる。
（４）実施例１及び２では、突出部７０，１７０を浴槽１０に設ける構成を例示したが、これに限定されず、例えば、洗い場床に突出部が設けられた構成としてもよい。さらに、浴槽及び洗い場床の両方に突出部が設けられていてもよい。
（５）実施例１及び２では、壁部材３０の裏面と突出部７０との間に隙間を設けるようにしたが、これに限定されず、例えば、載置される壁部材３０の裏面と突出部７０とが当接するようにしてもよい。
（６）実施例１及び２では、パッキンＰとコーキング剤Ｃを用いた防水処理を施す例を示したが、他の防水処理を採用してもよい。
（７）実施例１及び２では、突出部７０，１７０が立壁部６０に一体に形成されている例を示したが、本発明において、突出部は、立壁部に一体に形成されることは必須ではない。また、この場合、立壁部も必須の構成ではない。
【符号の説明】
【００３２】
１…浴室ユニット
１０…浴槽
１１…浴槽部
１２…フランジ部
１３…前垂れ部
２０…洗い場床
２１…床面部
２２…排水部
２３…エプロン部
２３Ａ…開口部
２３Ｂ…蓋
３０，１０１…壁部材
３１…鉤状部
４０…柱部材
４１…開口
５０…壁載置部
６０…立壁部
７０，１７０…突出部
１０２…立壁
１０３…変形防止部材
Ｃ…コーキング剤
Ｐ…パッキン
【図１】
0006703346.tif 000002
【図２】
0006703346.tif 000003
【図３】
0006703346.tif 000004
【図４】
0006703346.tif 000005
【図５】
0006703346.tif 000006